(57)【要約】【課題】成形過程で前蓋に形成される膨らみ部による擦り傷の発生を防止して、シュリンク包装された本体ケースを輸送する際の傷付きを一掃し、外観上の品位を向上できるテープカートリッジを提供する。【解決手段】本体ケース３の前部に、ローディングポケット５を揺動開閉する前蓋４を備えている。前蓋４は、ローディングポケット５の前開口を覆う前壁１２と、前壁１２の上縁に連続する上壁１３とを一体に備えている。前蓋４を成形する過程では、上壁１３の上面の左右長手方向の一部に膨らみ部２０が形成されがちとなる。この膨らみ部２０に起因する擦り傷を防ぐために、前蓋４の上壁１３に逃げ凹部２１を形成する。逃げ凹部２１は、膨らみ部２０と、膨らみ部２０の左右に連続するひけ部１９を内包する状態で形成する。【選択図】図１
2009151853.tif 000002
【特許請求の範囲】
【請求項１】
情報記録用のテープと、前記テープを巻き取るテープリールと、前記一対のテープリールを収容する本体ケースと、前記本体ケースのローディングポケットを揺動開閉する前蓋とを備えており、
前記前蓋は、前記ローディングポケットの前開口を覆う前壁と、前記前壁の上縁に連続する上壁とを一体に備えているテープカートリッジであって、
前記前蓋の前記上壁に逃げ凹部が形成してあることを特徴とするテープカートリッジ。
【請求項２】
前記逃げ凹部が前記上壁の左右長手方向の中央部分に形成してある請求項１記載のテープカートリッジ。
【請求項３】
前記前蓋の左右長手方向の中途部の左右２個所にゲート位置が設けられており、
前記両ゲート位置に臨む前記上壁の左右長手方向の中央部分に前記逃げ凹部が形成されている請求項２記載のテープカートリッジ。
【請求項４】
前記逃げ凹部が、前記上壁の下面と平行に形成される底面と、前記底面の両側端から前記上壁の上面へ向かって緩やかに上り傾斜する左右一対の傾斜面とで構成されて、前記上壁を前後に横断する状態で形成してある請求項２または３記載のテープカートリッジ。
【請求項５】
前記上壁の左右長手方向の下面に、使用時のテープのたるみを防ぐ左右一対の規制壁が前記前壁と前後に対向する状態で下向きに突設されており、
前記規制壁の後面の左右両側に２個のゲート位置が設けられており、
前記逃げ凹部が、前記規制壁の左右長手方向の形成領域を内包する状態で、前記上壁の左右長手方向の中央部分に形成してある請求項３または４記載のテープカートリッジ。
【発明の詳細な説明】
【技術分野】
【０００１】
本発明は、本体ケースの前部に不使用時のテープを保護するための前蓋が設けてあるテープカートリッジに関する。
【背景技術】
【０００２】
本発明に係るテープカートリッジは、横長角箱状の本体ケースと、本体ケースの内部左右に配置される一対のテープリールと、本体ケースで揺動可能に支持されて、ローディングポケットの前面を開閉する前蓋などで構成するが、この種のテープカートリッジの基本構造は周知である。
【０００３】
この種のテープカートリッジは放送業務用の情報記録媒体として多用されており、そこではハイビジョン映像などに代表される大容量の映像情報を記録するために、記録容量が大きな大形のテープカートリッジ、例えば本体ケースの外形寸法が２４５×１４５×２５ｍｍのテープカートリッジが市販されている。このような大形のテープカートリッジは、旧来のＶＨＳ方式、あるいはベータ方式のテープカートリッジに比べて、本体ケースや前蓋を構成する壁面の前後寸法や左右寸法が大きい。そのため従来のテープカートリッジにおいて解決済みの事項が重大な問題となることがある。
【０００４】
例えば、ＶＨＳ方式のテープカートリッジの前蓋はその左右寸法が大きいため、成形時のひけ（収縮変形）によって全体がく字状に反り変形することが以前から指摘されており、その対処法も確立している（特許文献１参照）。多くの場合、前蓋を成形する際には、前蓋の上壁の左右中央部分にゲート位置を設けることで、前蓋の両側部分への樹脂流動を均一化するが、ひけによる反り変形はゲート位置の近傍に集中する。そこで、特許文献１においては、ゲート位置に臨む前壁の中央付近の壁厚みを薄く設定して、ゲート位置の近傍と、ゲート位置から遠く離れた位置との溶融樹脂の固化速度を均一化して、ひけに伴う前蓋の反り変形を防止している。
【０００５】
【特許文献１】特開２０００−１７３２３２号公報（段落番号００２１、図２）
【発明の開示】
【発明が解決しようとする課題】
【０００６】
旧来の比較的小型のテープカートリッジにおいては、特許文献１の対処法で前蓋の反り変形を実用上支障のない程度にまで解消できる。しかし、先のように大形のテープカートリッジにおいては、ゲート位置から前蓋両側までの距離が大きすぎるため、同じように前蓋を成形しても反り変形を克服できない。こうした不具合を解消するひとつの手法として、前蓋の長手方向の２個所にゲート位置を設け、樹脂流動の好適化とひけ防止とを同時に実現することが行なわれている。その場合には、左右のゲート位置の近傍において僅かなひけが見られるものの、ゲート位置が中央１箇所だけである場合に比べて、前蓋の反り変形を大幅に改善できる。問題は、図６（ａ）に実線で示すように、左右のひけ部分１９の左右中央位置に僅かなこぶ状の膨らみ部２０が形成されがちな点にある。図６（ａ）において符号Ｆは、前蓋４の設計上の上壁１３の上面線を示し、実線は成形後の上壁１３の上面線を示している。
【０００７】
先の膨らみ部２０は上壁１３の左右中央付近に発生し、設計上の上壁１３の上面線Ｆより膨出する。そのため、図７に示すように複数個の本体ケースを、むき出し状態（収納ケースに収めない状態）で重ねてシュリンク包装したとき、先の膨らみ部２０が隣接する本体ケースと接当し、輸送途中にお互いの接当面に擦り傷が生じテープカートリッジの外観上の品位が損なわれることがある。こうした擦り傷を防ぐには、例えば隣接する本体ケースの間に保護シートを介装することで傷の発生を防止できる。しかし、本体ケースをむき出し状態のままで重ねてシュリンク包装するのは、成形工場で成形した本体ケースを外国などの遠隔地にある組立工場へ輸送するためである。また、組立工場からみて遠隔地にある成形工場で本体ケースを成形するのは、本体ケースの成形コストを削減するためである。したがって、擦り傷を防ぐためとはいえ、テープカートリッジの製造過程の部品輸送のために、先のように保護シートを介装するような余分な手間とコストを掛けることはできない。
【０００８】
上記のような輸送時の擦り傷の問題とは別に、テープカートリッジの末端ユーザーにおいて、先の膨らみ部の存在自体が問題視されることもある。業務用のテープカートリッジは、家庭用のテープカートリッジに比べて、著しく厳しい状況で過酷な使われ方をすることが多い。そのため、急を要する場面で、僅かとはいえ膨らみ部があることでビデオカメラに対する出し入れを円滑に行なえずに、テープカートリッジの信頼性が疑問視されるおそれがある。
【０００９】
本発明の目的は、膨らみ部による擦り傷の発生を防止して、シュリンク包装された本体ケースを輸送する際の傷付きを一掃でき、これにより外観上の品位を向上できるテープカートリッジを提供することにある。本発明の目的は、膨らみ部に起因する取り扱い上の不具合を解消して、厳しい状況で過酷な使われ方をする業務用のテープカートリッジの信頼性を向上することにある。
【課題を解決するための手段】
【００１０】
本発明のテープカートリッジは、情報記録用のテープ１と、テープ１を巻き取るテープリール２と、一対のテープリール２を収容する本体ケース３と、本体ケース３のローディングポケット５を揺動開閉する前蓋４とを備えている。前蓋４は、ローディングポケット５の前開口を覆う前壁１２と、前壁１２の上縁に連続する上壁１３とを一体に備えている。前蓋４の上壁１３に凹部２１が形成してあることを特徴とする。なお、凹部２１は膨らみ部２０が形成されがちな箇所を内包する状態で形成する。
【００１１】
図４に示すように逃げ凹部２１を上壁１３の左右長手方向の中央部分に形成する。
【００１２】
前蓋４の左右長手方向の中途部の左右２個所にゲート位置Ｇを設ける。その場合には、両ゲート位置Ｇに臨む上壁１３の左右長手方向の中央部分に逃げ凹部２１を形成する。
【００１３】
逃げ凹部２１は、上壁１３の下面と平行に形成される底面２１ａと、底面２１ａの両側端から上壁１３の上面へ向かって緩やかに上り傾斜する左右一対の傾斜面２１ｂとで構成されて、上壁１３を前後に横断する状態で形成する。
【００１４】
上壁１３の左右長手方向の下面に、使用時のテープ１のたるみを防ぐ左右一対の規制壁１５を前壁１２と前後に対向する状態で下向きに突設する。規制壁１５の後面の左右両側に２個のゲート位置Ｇを設ける。図５に示すように逃げ凹部２１は、規制壁１５の左右長手方向の形成領域を内包する状態で、上壁１３の左右長手方向の中央部分に形成する。
【発明の効果】
【００１５】
本発明のテープカートリッジにおいては、前蓋４を成形する過程で上壁１３の上面の左右長手方向の一部に膨らみ部２０が形成されがちである。そこで、膨らみ部２０が形成されやすい箇所を内包する状態で、前蓋４の上壁１３に逃げ凹部２１を形成し、たとえ膨らみ部２０が形成されるような場合であっても、膨らみ部２０が上壁１３の上面から突出するのを解消できるようにした。したがって本発明のテープカートリッジによれば、前蓋４が組み付けられた本体ケース３を重ねたときに、膨らみ部２０と本体ケース３とが接触して擦り傷を生じるのを防止でき、シュリンク包装された本体ケース３を輸送する際の傷付きを一掃できる。また、膨らみ部２０に起因する擦り傷の発生を一掃できるので、テープカートリッジの外観上の品位を向上できる。さらに、急を要する場面などにおいて、膨らみ部２０がビデオカメラなどの装填口に引っ掛かることを解消してテープカートリッジの取り扱いを円滑化できる。とくに、本発明を業務用のテープカートリッジに適用する場合には、先のような膨らみ部２０に起因する取り扱い上の不具合を解消して信頼性を向上でき、厳しい状況で過酷な使われ方をするテープカートリッジの使い勝手を向上できる。
【００１６】
前蓋４の上壁１３の左右長手方向の中央部分に逃げ凹部２１が形成してあると、逃げ凹部２１の位置を手で探って確認することにより、テープカートリッジの前後、および上下を知ることができる。したがって、十分な照明が得られないような状況下でも、テープカートリッジをビデオカメラに適正に装填できるなど、テープカートリッジの取り扱いを簡便化できる。また、上壁１３の左右中央に逃げ凹部２１を設けるので、テープカートリッジの前面の左右半部の外形を違和感のない左右対称形状として、外観状の印象が損なわれるのをよく防止できる。
【００１７】
前蓋４の左右長手方向の中途部の左右２個所にゲート位置Ｇを設ける場合には、成形時の固化速度の違いによって両ゲート位置Ｇに臨む上壁１３の左右長手方向の中央部分に、膨らみ部２０やひけ部１９が形成されがちである。その場合には、膨らみ部２０とひけ部１９とを内包する状態で逃げ凹部２１を形成することにより、前蓋４の全体が反り変形するのをよく防止しながら、同時に膨らみ部２０が上壁１３の上面から突出するのを解消できる。さらに、左右のひけ部１９が膨らみ部２０と共に滑らかに連続する状態で逃げ凹部２１の形成領域内に形成されるので、ひけ部１９を目立たなくすることができる。
【００１８】
上壁１３の下面と平行に形成される底面２１ａと、底面２１ａの両側端から上壁１３の上面へ向かって緩やかに上り傾斜する左右一対の傾斜面２１ｂとで逃げ凹部２１を構成すると、上壁１３における逃げ凹部２１と、逃げ凹部２１に隣接する壁部分との肉厚変化を緩やかにでき、ひけ部１９の凹み形状を緩やかに傾斜する傾斜面２１ｂに溶け込ませて、ひけ部１９が目立つのをさらに抑止して、テープカートリッジの外観状の印象を向上できる。また、逃げ凹部２１が上壁１３を前後に横断する状態で形成してあると、頂部から裾部分にわたる膨らみ部２０の全体を逃げ凹部２１内に収めて、成形条件の違いによって膨らみ部２０の形状がばらつくような場合であっても、膨らみ部２０の一部が上壁１３の上面に突出するのをさらに確実に防止できる。
【００１９】
上壁１３の左右長手方向の下面に、左右一対の規制壁１５を設け、規制壁１５の後面の左右両側に２個のゲート位置Ｇを設けると、前蓋４の左右の蓋側壁１４への樹脂流動を好適化しながら、溶融樹脂が最後に固化する箇所を規制壁１５の形成部分に集約できる。つまり、左右に長い前壁１２および上壁１３が反り変形するのをよく防止しながら、ゲート位置Ｇに臨む上壁１３の上面にひけ部１９を形成できる。したがって、規制壁１５の左右長手方向の形成領域を内包する状態で逃げ凹部２１を形成することにより、ひけ部１９を逃げ凹部２１の形成領域内に位置させて、膨らみ部２０が上壁１３の上面から突出するのを解消し、同時にひけ部１９が目立つのを解消できる。
【発明を実施するための最良の形態】
【００２０】
（実施例）  図１ないし図７は本発明に係るテープカートリッジの実施例を示す。本発明における前後、左右、上下は、図３に示すように互いに直交する３軸線と、各軸線の矢印に付加した前・後・左・右・上・下の各表記に従うこととする。テープカートリッジは、情報記録用のテープ（磁気テープ）１と、テープ１を巻き取る左右一対のテープリール２・２と、両テープリール２を収容する本体ケース３と、本体ケース３で上下揺動可能に支持される前蓋４などを備えている。本体ケース３の左右幅、前後幅、および上下厚み寸法は、それぞれ２４５×１４５×２５ｍｍであり、このテープカートリッジは放送業務用の情報記録媒体として使用される。
【００２１】
本体ケース３は、左右に長い四角箱状に形成してあり、上下に２分割される上ケース３ａおよび下ケース３ｂを蓋合わせ状に接合して構成する。上下ケース３ａ・３ｂはそれぞれ射出成形品からなる。本体ケース３の前面中央には、逆台形状のローディングポケット５が凹み形成してあり、その前開口の左右両側に臨んで回転自在なガイドローラー６・６が配置してある。一方のテープリール２から繰出されたテープ１は、各ガイドローラー６・６で移行案内されて先のローディングポケット５の前面を左右に横断したのち、他方のテープリール２に巻き取られる。
【００２２】
ローディングポケット５は、前面および下面側が開口しており、上面側は上ケース３ａに設けた庇壁９で覆われている（図１参照）。不使用時のテープ１を保護するために、ローディングポケット５の内奥壁の左右中央に、後述する前壁１２と協同して不使用時のテープ１を前後に挟むテープ保護突起１０が下ケース３ｂと一体に設けてある。図４に示すように、テープ保護突起１０は逆Ｌ字状に形成されて、その前端に上下に長い腕壁１０ａを備えている。この腕壁１０ａで不使用時のテープ１の後面および下縁を受け止める。腕壁１０ａは、前蓋４の前壁１２と前後に正対しており、前蓋４を閉じた状態において前壁１２の下端を腕壁１０ａの下端で受け止めている。
【００２３】
図５において前蓋４は、ローディングポケット５の前開口を覆う前壁１２と、前壁１２の上縁に連続する上壁１３と、前壁１２の両端から後向きに連出される左右一対の蓋側壁１４とを一体に備えた射出成形品からなる。前壁１２と上壁１３とは、前壁１２の側を基準にして後傾する傾斜壁を介して繋がっている（図１参照）。上壁１３の左右長手方向の下面中央には、不使用時のテープのたるみを防ぐ左右一対の規制壁１５が前壁１２と前後に対向する状態で下向きに突設してある。左右の規制壁１５は、テープ保護突起１０の左右両側に隣接している。左右の蓋側壁１４の対向面にはそれぞれ支軸１６が突設してある。これら両支軸１６・１６を図２に示すように本体ケース３で軸支することにより、前蓋４の全体をローディングポケット５の前開口を覆う不使用姿勢と、不使用姿勢から１８０度上向きに反転揺動する使用姿勢との間で開閉揺動できる。なお、前蓋４の全体は、支軸１６に外嵌装着したねじりコイルバネ（図示していない）で、不使用姿勢へ向かって閉じ勝手に付勢してある。
【００２４】
上記構成の前蓋４は射出成形法で成形するが、前蓋４の全体の左右寸法が大きいため、前蓋４の左右長手方向の中途部の左右２個所にゲート位置Ｇを設けて、左右の蓋側壁１４への樹脂流動を好適化する。詳しくは、図５に示すように各規制壁１５の後面の左右両側のそれぞれにゲート位置Ｇを設ける。このように、ゲート位置Ｇを２個所設けて前蓋４を成形すると、前壁４の全体が反り変形するのを防止できるが、図６（ａ）に示すように各ゲート位置Ｇに臨む上壁１３の上面に僅かながらひけ部１９が形成され、さらに両ひけ部１９の間の中央部分に膨らみ部２０が形成されることまでは避けられない。
【００２５】
先の膨らみ部２０は、前蓋４が組まれた本体ケース３を積重ねてシュリンク包装するとき、擦り傷の原因となる。そこで、膨らみ部２０が上壁１３の上面から突出するのを防止するために、図６（ｂ）に示すように膨らみ部２０の形成箇所を内包する逃げ凹部２１を上壁に形成している。この実施例では、左右のひけ部１９と中央の膨らみ部２０とを同時に内包する状態で逃げ凹部２１を形成して、膨らみ部２０が上壁１３の上面から突出するのを防ぎ、同時にひけ部１９が目立つのを解消している。換言すると、逃げ凹部２１は、規制壁１５の左右長手方向の形成領域を内包する状態で、上壁１３の左右長手方向の中央部分に形成してある。なお、図６においてはひけ部１９および膨らみ部２０を強調するために、逃げ凹部２１の上下寸法を誇張して表示している。
【００２６】
図６（ｂ）に示すように、逃げ凹部２１は、上壁１３の下面と平行に形成される底面２１ａと、底面２１ａの両側端から上壁１３の上面へ向かって緩やかに上り傾斜する左右一対の傾斜面２１ｂとで逆等脚台形状に形成される。また、図１に示すように逃げ凹部２１は上壁１３を前後に横断する状態で形成する。上壁１３の上面から設計上の底面２１ａまでの上下寸法Ｈ１は、設計上の底面２１ａから膨らみ部２０の頂部までの上下寸法Ｈ２と同じか、これより大きく設定する。この実施例では、逃げ凹部２１以外の箇所の上壁１３の厚み寸法を２ｍｍとし、前者寸法Ｈ１を０．２ｍｍとするとき、後者寸法Ｈ２を０．１ｍｍとして、膨らみ部２０が上壁１３の上面に突出するのを確実に防止できるようにした。
【００２７】
先に説明したように、ゲート位置Ｇは各規制壁１５の後面の上下中途部に設けてあり、各規制壁１５は逃げ凹部２１の底面２１ａの前後方向の略中央付近に位置している（図１参照）。そのため、逃げ凹部２１においては、膨らみ部２０の頂部が底面２１ａの前後方向のほぼ中央付近に位置することとなる。したがって、上壁１３を前後に横断する状態で逃げ凹部２１を形成しておけば、膨らみ部２０の裾部分が上壁１３の上面に突出するのをさらに確実に防止できる。
【００２８】
以上のように形成した前蓋４と本体ケース３とは仮組みして一体化した状態（以下この仮組み体をケース組立体という）でシュリンク包装される。例えば、図７に示すように９個のケース組立体を本体ケース３の上面が上になる状態で順に積重ね、１０個めのケース組立体のみを上下に反転した状態で重ねて１個の包装単位とする。この状態でシュリンクフィルム２３を積重ねられたケース組立体の周囲に巻き付け、フィルム端を固定した状態でフィルム全体を加熱して収縮させる。このように、ケース組立体をシュリンク包装した状態では、前蓋４の逃げ凹部２１が隣接する本体ケース３の底壁と対向し、あるいは１箇所に限って逃げ凹部２１どうしが対向する。したがって、膨らみ部２０が隣接する本体ケース３の底壁と接触することはなく、膨らみ部２０に起因する擦り傷の発生を一掃できる。
【００２９】
図８は逃げ凹部２１の別実施例を示す。そこでは、先の実施例と同様に逃げ凹部２１を底面２１ａと左右一対の傾斜面２１ｂとで逆等脚台形状に形成するが、底面２１ａの左右幅寸法を膨らみ部２０の左右幅寸法にほぼ一致させ、設計上の傾斜面２１ｂにひけ部１９が内凹み状に形成されるようにした。つまり、ひけ部１９を設計上の傾斜面２１ｂに生じさせて、ひけ部１９が目立つのを避けるようにした。他は先の実施例と同じであるので、同じ部材に同じ符号を付してその説明を省略する。
【００３０】
上記の実施例以外に、ゲート位置Ｇは前壁１２の後面の２個所、あるいは上壁１３の上下面のいずれか一方の２個所に設けることができる。逃げ凹部２１は逆等脚台形に形成する必要はなく、複数の湾曲線が連続する凹部として形成することができる。本発明におけるテープは、磁気テープ以外に光磁気テープを含む。本発明は、業務用の大形のテープカートリッジ以外に、ＶＨＳ方式やベータ方式のテープカートリッジなどにも適用することができる。
【図面の簡単な説明】
【００３１】
【図１】前蓋の断面構造を示す図３におけるＡ−Ａ線断面図である。
【図２】テープカートリッジの構造の概略を示す横断平面図である。
【図３】テープカートリッジの斜視図である。
【図４】図３におけるＢ−Ｂ線断面図である。
【図５】前蓋の一部を破断した背面図である。
【図６】前蓋における成形ひずみを示す背面図であり、（ａ）は比較例を、（ｂ）は本発明の実施例を示している。
【図７】本体ケースの包装例を示す正面図である。
【図８】逃げ凹部の別実施例を示す前蓋要部の背面図である。
【符号の説明】
【００３２】
１  テープ
２  テープリール
３  本体ケース
４  前蓋
５  ローディングポケット
１２  前壁
１３  上壁
１５  規制壁
１９  ひけ部
２０  膨らみ部
２１  逃げ凹部
２１ａ  逃げ凹部の底面
２１ｂ  逃げ凹部の傾斜面
Ｇ  ゲート位置
【図１】
2009151853.tif 000003
【図２】
2009151853.tif 000004
【図３】
2009151853.tif 000005
【図４】
2009151853.tif 000006
【図５】
2009151853.tif 000007
【図６】
2009151853.tif 000008
【図７】
2009151853.tif 000009
【図８】
2009151853.tif 000010